(57)【要約】【課題】  情報端末上の画像データを通信ネットワーク経由でサーバにウェブページを通じて送信し、画像解析結果（テキストデータ及び音声データ）を情報端末がウェブページを通じて取得することを可能とする。【解決手段】  画像データからの意味情報の抽出、テキストデータの生成、音声データへの変換は、サーバ上で行う。情報端末は、画像データをウェブページを通じて通信ネットワーク経由でサーバに送信する。サーバは、ウェブページを通じて受信した画像データから文字や図形等の意味情報を抽出し、テキストデータと音声データに変換し、ウェブページを通じて情報端末に送信する。情報端末は、ウェブページを通じてテキストデータと音声データを取得することによって、画像データのテキストデータ化と音声データ化を実現する。【選択図】      図１
2008009465.tif 000002
【特許請求の範囲】
【請求項１】
通信ネットワークに接続された情報端末上の画像データを、ウェブページ記述言語で作成されたウェブページを通じて、通信ネットワークに接続されたサーバに送信し、サーバ上の処理プログラムにて画像データの解析（画像データのノイズの除去、上下向きの補正、傾きの補正、文字部と図形部の分離、各文字段落部の切り出し等の前処理）及び画像データ内の意味情報データの抽出を行い、抽出された意味情報データをテキストデータ及び音声データに変換し、得られたテキストデータ及び音声データを、ウェブページを通じて情報端末に送信し、情報端末が受信したテキストデータを表示、音声データを再生することを特徴とする、サーバ利用により画像データから文字・音声データを取得する方法。
【請求項２】
通信ネットワークに接続された情報端末に内蔵あるいは付属する画像取込装置によって取得された画像データを、ウェブページ記述言語で作成されたウェブページを通じて、通信ネットワークに接続されたサーバに送信することを特徴とする請求項１記載の方法。
【請求項３】
通信ネットワークに接続されたカメラ機能を有した携帯可能な電話機によって撮影取得された画像データを、ウェブページ記述言語で作成されたウェブページを通じて、通信ネットワークに接続されたサーバに送信することを特徴とする請求項２記載の方法。
【請求項４】
通信ネットワークに接続された情報端末上の画像データを、ウェブページ記述言語で作成されたウェブページを通じて、通信ネットワークに接続されたサーバに送信し、サーバ上の処理プログラムにて画像データの解析（画像データのノイズの除去、上下向きの補正、傾きの補正、文字部と図形部の分離、各文字段落部の切り出し等の前処理）及び画像データ内の意味情報データの抽出を行い、抽出された意味情報データをテキストデータ及び音声データに変換し、得られたテキストデータ及び音声データを、ウェブページを通じて情報端末に送信し、情報端末が受信したテキストデータを表示、音声データを再生することを特徴とする請求項１または請求項２または請求項３記載のシステム。
【請求項５】
通信ネットワークに接続された情報端末上の画像データを、ウェブページ記述言語で作成されたウェブページを通じて受信し、画像データの解析（画像データのノイズの除去、上下向きの補正、傾きの補正、文字部と図形部の分離、各文字段落部の切り出し等の前処理）及び画像データ内の意味情報データの抽出を行い、抽出された意味情報データをテキストデータ及び音声データに変換し、得られたテキストデータ及び音声データを、ウェブページを通じて情報端末に送信することを特徴とする請求項１または請求項２または請求項３記載のサーバ。
【請求項６】
通信ネットワークに接続された情報端末上の画像データを、ウェブページ記述言語で作成されたウェブページを通じて受信し、画像データの解析（画像データのノイズの除去、上下向きの補正、傾きの補正、文字部と図形部の分離、各文字段落部の切り出し等の前処理）及び画像データ内の意味情報データの抽出を行い、抽出された意味情報データをテキストデータ及び音声データに変換し、得られたテキストデータ及び音声データを、ウェブページを通じて情報端末に送信することを特徴とする請求項１または請求項２または請求項３記載のサーバ上のプログラム。
【発明の詳細な説明】
【技術分野】
【０００１】
本発明は、通信ネットワークに接続された情報端末から画像データをウェブページを通じてサーバに送信し、サーバ上で画像の解析・意味情報データの抽出を行い、得られた意味情報データをテキストデータ及び音声データに変換し、テキストデータと音声データを情報端末がウェブページを通じてサーバから受け取るための方法に関する。
【背景技術】
【０００２】
従来、画像データ内の意味情報データのテキストデータ化及びテキストデータの音声データ化の一連の処理は、パーソナルコンピュータ等の情報端末上の専用ソフトウェアを使用することにより実現されていた（関連する技術の一例として、特許文献１及び特許文献２を参照）。
【特許文献１】特開平０５−３３３８９１号公報
【特許文献２】特開平１１−１１９７９０号公報
【発明の開示】
【発明が解決しようとする課題】
【０００３】
しかしながら、以上の技術によれば、パーソナルコンピュータ等の情報端末自体が移動性・携帯性の点で劣ることから、使用場所等の使用条件に制限があった。昨今は、情報端末として携帯型コンピュータ及び携帯可能な電話機等があらわれたが、移動性・携帯性の点では優れるものの、画像解析及びテキストデータから音声データへの変換処理には大きな処理能力が必要とされ、処理能力の面で十分ではない。
【０００４】
そこで、本発明は、通信ネットワークに接続された情報端末上の画像データをウェブページを通じてサーバに送信し、サーバ上で画像解析、画像データ内の意味情報データの抽出、テキストデータ及び音声データへの変換を行うことで、場所や時間に制約を受けずにどのような環境でも画像データからのテキストデータ及び音声データの獲得を可能とすることを課題とする。
【課題を解決するための手段】
【０００５】
以上の課題を解決するために、第一発明は、通信ネットワークに接続された情報端末上の画像データをウェブページを通じてサーバに送信し、サーバ上で画像の解析（画像データのノイズの除去、上下向きの補正、傾きの補正、文字部と図形部の分離、各文字段落部の切り出し等の前処理）、画像データ内の意味情報データの抽出を行い、抽出された意味情報データをテキストデータ及び音声データに変換し、得られたテキストデータと音声データを情報端末にウェブページを通じて送信し、情報端末が受信したテキストデータを表示、音声データを再生することを特徴とする方法である。
【０００６】
また、第二発明は、第一発明において、通信ネットワークに接続された情報端末に内蔵あるいは付属する画像取込装置によって取得された画像データをウェブページを通じてサーバに送信することを特徴とする方法である。
【０００７】
また、第三発明は、第二発明において、通信ネットワークに接続されたカメラ機能を有した携帯可能な電話機によって撮影取得された画像データをウェブページを通じてサーバに送信することを特徴とする方法である。
【０００８】
また、第四発明は、第一の発明または第二の発明または第三の発明における方法を実現するシステムである。
【０００９】
また、第五発明は、第一の発明または第二の発明または第三の発明における方法を実現するサーバである。
【００１０】
また、第六発明は、第一の発明または第二の発明または第三の発明における方法を実現するサーバ上のプログラムである。
【発明の効果】
【００１１】
サーバが接続されている通信ネットワークに接続できる情報端末であれば、いかなる場所、時間でも画像データからテキストデータ及び音声データへの変換をすることができることから、日常の多くの場面で画像情報から文字・音声情報を獲得することができる。
【発明を実施するための最良の形態】
【００１２】
本発明の一実施形態を、図１に示す。
【実施例】
【００１３】
図１は、本発明におけるシステム構成の例を表している。情報端末１１及びサーバ１３は、通信ネットワーク１２に接続されている。情報端末１１上の画像データをウェブページ１４を通じて、サーバ１３に送信する。サーバ１３は、ウェブページ１４を通じて、情報端末１１から画像データを受信する。サーバ１３は、ウェブページ１４を通じて受信した画像データを処理プログラム１５により画像解析（画像データのノイズの除去、上下向きの補正、傾きの補正、文字部と図形部の分離、各文字段落部の切り出し等の前処理）し画像データ内の文字や図形等の意味情報データを抽出する。サーバ１３は、抽出した意味情報データを処理プログラム１５によりテキストデータ及び音声データに変換する。サーバ１３は、ウェブページ１４を通じて、テキストデータ及び音声データを情報端末１１に送信する。情報端末１１は、ウェブページ１４を通じて、サーバ１３からテキストデータ及び音声データを受信する。情報端末１１は、ウェブページ１４を通じて受信したテキストデータを表示及び音声データを再生する。
【００１４】
図１の情報端末１１上の画像データは、情報端末１１に内蔵あるいは付属する画像取込装置によって取得された画像データも含む。
【００１５】
図２は、本発明における動作の一例を示すシーケンス図である。サーバは、通常、情報端末からのアクセス待ちの状態にある（ステップ３１）。情報端末は、サーバにウェブページを通じてアクセスをする（ステップ２１）。サーバは、情報端末からのアクセスを検出すると画像データの受信待ちになる（ステップ３２）。情報端末は、画像データをサーバに送信する（ステップ２２）。情報端末は、サーバからのテキストデータ、音声データの受信待ちとなる（ステップ２３）。サーバは、情報端末から画像データを受信する（ステップ３３）。サーバは、受信した画像データを解析（画像データのノイズの除去、上下向きの補正、傾きの補正、文字部と図形部の分離、各文字段落部の切り出し等の前処理）する（ステップ３４）。サーバは、画像データから文字や図形等の意味情報データを取得する（ステップ３５）。サーバは、意味情報データからテキストデータを取得する（ステップ３６）。サーバは、テキストデータを音声データに変換する（ステップ３７）。サーバは、テキストデータ及び音声データを情報端末に送信する（ステップ３８）。送信後、サーバは、情報端末のアクセス待ちとなる（ステップ３１）。情報端末は、ウェブページを通じてサーバからテキストデータ及び音声データを受信する（ステップ２４）。情報端末は、テキストデータを表示及び音声データを再生する（ステップ２５）。
【００１６】
図３は、本発明におけるカメラ機能を有した携帯可能な電話機を使用した場合の動作の一例を示すシーケンス図である。サーバは、通常、情報端末からのアクセス待ちの状態にある（ステップ５１）。携帯可能な電話機に付属するカメラにより撮影を行う（ステップ４０）。携帯可能な電話機は、サーバにウェブページを通じてアクセスをする（ステップ４１）。サーバは、携帯可能な電話機からのアクセスを検出すると画像データの受信待ちになる（ステップ５２）。携帯可能な電話機は、画像データをサーバに送信する（ステップ４２）。携帯可能な電話機は、サーバからのテキストデータ、音声データの受信待ちとなる（ステップ４３）。サーバは、携帯可能な電話機から画像データを受信する（ステップ５３）。サーバは、受信した画像データを解析（画像データのノイズの除去、上下向きの補正、傾きの補正、文字部と図形部の分離、各文字段落部の切り出し等の前処理）する（ステップ５４）。サーバは、画像データから文字や図形等の意味情報データを取得する（ステップ５５）。サーバは、意味情報データからテキストデータを取得する（ステップ５６）。サーバは、テキストデータを音声データに変換する（ステップ５７）。サーバは、テキストデータ及び音声データを携帯可能な電話機に送信する（ステップ５８）。送信後、サーバは、携帯可能な電話機のアクセス待ちとなる（ステップ５１）。携帯可能な電話機は、ウェブページを通じてサーバからテキストデータ及び音声データを受信する（ステップ４４）。携帯可能な電話機は、テキストデータを表示及び音声データを再生する（ステップ４５）。
【産業上の利用可能性】
【００１７】
本発明は、携帯可能な電話機や携帯型コンピュータ等の情報端末に搭載されたカメラによって撮影された画像データを、テキストデータ及び音声データへ変換ができることから、視覚障害者（全盲者及び弱視者）あるいは視力の衰えた高齢者が、情報端末からウェブページにアクセスすることによって、画像データ内の意味情報を文字データ及び音声データとして、いつでもどこでも獲得する方法に利用できる。
【図面の簡単な説明】
【００１８】
【図１】本発明の一実施形態を示す構成図である。
【図２】本発明における動作の一例を示すシーケンス図である。
【図３】本発明における動作の他の一例を示すシーケンス図である。
【符号の説明】
【００１９】
１１：情報端末
１２：通信ネットワーク  
１３：サーバ
１４：ウェブページ
１５：処理プログラム
Ｓ２１〜Ｓ２５：ステップ番号
Ｓ３１〜Ｓ３８：ステップ番号
Ｓ４０〜Ｓ４５：ステップ番号
Ｓ５１〜Ｓ５８：ステップ番号
【図１】
2008009465.tif 000003
【図２】
2008009465.tif 000004
【図３】
2008009465.tif 000005